(57)【要約】【課題】配線ダクトに取り付ける施工作業が簡単になり、かつ、施工作業の作業時間を短縮できる照明器具を提供する。【解決手段】照明器具１０は、光源部１２と、光源部１２に接続される電源部３０とを含む。光源部は、回転によって外部との電気的接続のオンオフ状態を切り換える第１回転体２０を有し、電源部３０は、回転によって被取付部への着脱が行われる第２回転体４０を有する。第１回転体及び第２回転体は連結されるように、操作部に接続されている。照明器具１０は、操作部が操作されることにより、第１回転体及び第２回転体が同時に回転するように構成される。【選択図】図１
2020004626.tif 000002
【特許請求の範囲】
【請求項１】
光源部と、
前記光源部に接続される電源部と、を備え、
前記光源部は、回転によって外部との電気的接続のオンオフ状態を切り換える第１回転体を有し、
前記電源部は、回転によって被取付部への着脱が行われる第２回転体を有し、
前記第１回転体及び前記第２回転体は連結されるように、操作部に接続されており、
前記操作部が操作されることにより、前記第１回転体及び前記第２回転体が同時に回転するように構成される、
照明器具。
【請求項２】
請求項１に記載の照明器具において、
前記電源部は、電源収容部と、前記電源収容部に収容された電源回路とを含み、
前記第１回転体及び前記第２回転体は、それぞれ前記電源収容部の上側に配置されるとともに、前記電源収容部に回転可能に支持されており、
前記第１回転体は、厚み方向の第１側面に第１係止部を有し、回転する第１板部を含み、
前記第２回転体は、厚み方向の第１側面に第２係止部を有し、回転する第２板部を含み、
前記操作部は、前記電源収容部の上側で移動可能な長尺板状のアームを有し、
前記アームは、前記第１板部及び前記第２板部と同じ側の面において、前記第１係止部及び前記第２係止部に係止される２つの第３係止部を有する、
照明器具。
【発明の詳細な説明】
【技術分野】
【０００１】
本開示は、照明器具に関する。
【背景技術】
【０００２】
特許文献１には、光源と、光源に電力を供給する電源回路と、電源回路を収容する長尺な電源収容部とを備える照明器具が記載されている。電源収容部の上には、長手方向に離間して第１係止部と第２係止部とが配置される。第１係止部は、電源回路と電気的に接続される受電端子と、第１係止板とを有する。受電端子及び第１係止板は、第１回転軸を中心に回転可能である。第２係止部は、第２回転軸を中心に回転可能な第２係止板を有する。第１係止板及び受電端子が第１レバーと連動して９０度回転することで、第１係止板がライティングダクト（配線ダクト）の溝部に係止され、受電端子がライティングダクトの給電電極に接続される。第２係止板が第２レバーと連動して９０度回転することで、第２係止板がライティングダクトの溝部に係止される。
【先行技術文献】
【特許文献】
【０００３】
【特許文献１】特開２０１７−１９５１４８号公報
【発明の概要】
【発明が解決しようとする課題】
【０００４】
特許文献１に記載された照明器具では、配線ダクトに取り付ける際に、第１レバーと第２レバーとを独立して操作することで、第１係止部と第２係止部とを９０度回転させて、第１係止部を配線ダクトに電気的及び機械的に接続し、第２係止部を配線ダクトに機械的に接続する必要がある。これにより、配線ダクトに取り付ける施工作業が複雑になり、かつ施工作業の作業時間が長くなる。
【課題を解決するための手段】
【０００５】
本開示の一態様である照明器具は、光源部と、光源部に接続される電源部と、を備え、光源部は、回転によって外部との電気的接続のオンオフ状態を切り換える第１回転体を有し、電源部は、回転によって被取付部への着脱が行われる第２回転体を有し、第１回転体及び第２回転体は連結されるように、操作部に接続されており、操作部が操作されることにより、第１回転体及び第２回転体が同時に回転するように構成される。
【発明の効果】
【０００６】
本開示の一態様である照明器具によれば、配線ダクトに取り付ける施工作業が簡単になり、かつ、施工作業の作業時間を短縮できる。
【図面の簡単な説明】
【０００７】
【図１】実施形態の一例の照明器具を上方から見た斜視図である。
【図２】実施形態の一例の照明器具と、照明器具を取り付ける配線ダクトとの構成図である。
【図３】図１から灯具ユニットを取り外して上から見た斜視図である。
【図４】図３の真上から見た図である。
【図５】図３から操作部を取り出して示す斜視図である。
【図６】配線ダクトにおいて、長手方向に対し直交する平面についての断面図である。
【図７】図４から操作部、第１回転体、及び第２回転体を取り出して示す図である。
【図８】配線ダクトに照明器具を取り付けるように操作部を操作した状態において、図７に対応する図である。
【図９】比較例の照明器具を上方から見た斜視図である。
【発明を実施するための形態】
【０００８】
以下、図面を参照しながら、本開示に係る照明器具の実施形態の一例について詳細に説明する。実施形態の説明で参照する図面は模式的に記載されたものであるから、各構成要素の寸法比率などは以下の説明を参酌して判断されるべきである。以下の説明において、具体的な形状、材料、数量等は、本開示の理解を容易にするための例示であって、照明器具の仕様に合わせて適宜変更することができる。以下では、すべての図面において同様の要素には同一の符号を説明する。
【０００９】
図１は、実施形態の一例の照明器具１０を上方から見た斜視図である。図２は、照明器具１０と、照明器具１０を取り付ける配線ダクト１００との構成図である。図３は、図１から灯具ユニット１３を取り外して上から見た斜視図である。図４は、図３の真上から見た図である。なお、図１、図３〜図８において、照明器具１０を構成する電源収容部３１の水平方向に沿う長手方向をＸとし、Ｘ方向に垂直で互いに直交する２つの方向をＹ、Ｚと示している。Ｙ方向は、電源収容部３１の水平方向に沿う幅方向であり、Ｚ方向は、鉛直方向である。
【００１０】
図１、図２に示すように、照明器具１０は、光源部１２と、電源部３０と、操作レバー５０とを備える。操作レバー５０は、操作部に相当する。
【００１１】
照明器具１０は、例えば部屋の上部に配置された配線ダクト１００（図２、図６）の下側に取り付けられる器具であり、スポットライト用に用いられる。照明器具は、他の用途に用いられる照明器具としてもよい。本明細書では、説明の便宜上、照明器具１０を配線ダクト１００に取り付けた状態で、照明器具１０の鉛直上方側を「上」とし、鉛直下方側を「下」とする。配線ダクト１００は、照明器具１０の被取付部に相当する。
【００１２】
後述のように、光源部１２を構成する第１回転体２０と、電源部３０を構成する第２回転体４０とは連結されるように、操作レバー５０に接続されている。そして、照明器具１０は、操作レバー５０が操作されることにより、第１回転体２０及び第２回転体４０が同時に回転するように構成される。これにより、後述のように、照明器具１０を配線ダクト１００（図２）に取り付ける施工作業が簡単になり、かつ、施工作業の作業時間を短縮できる。
【００１３】
[光源部]
光源部１２は、灯具ユニット１３と、第１回転体２０とを含む。灯具ユニット１３は、灯具本体１４と、支持部１９とを含む。灯具本体１４は、筒状部材であるセード１５の内部に光源本体１６（図２）、回転支持部材（図示せず）、反射部材（図示せず）、レンズ部１７、光制御部材１８等が配置される。回転支持部材は、後述の支持部１９に対し、回転可能に取り付けられる。これにより、灯具本体１４は、支持部１９に対し、光源本体１６の光軸の向きを調整可能である。
【００１４】
支持部１９は、後述の電源収容部３１の長手方向の第１端部（図１の左下端部）に、電源収容部３１に対し灯具本体１４を吊り下げるように取り付けられる。支持部１９は、略鉛直方向（Ｚ方向）に延びるように配置された長尺な筒状部材であり、長手方向に挿入孔が形成される。この挿入孔には、電源回路３９（図２）から光源本体１６に電力を供給する電線１９ａ（図２）が挿入される。支持部１９を形成する材料は限定されないが、例えばアルミニウム合金などの金属材料により形成される。
【００１５】
光源本体１６は、所定の光を出射する発光モジュールである。発光モジュールは、例えば、矩形の基板の側面に発光素子が実装されたＣＯＢ（Chip on Board）タイプのモジュールである。発光素子は、例えば複数の半導体発光素子であり、その中でもＬＥＤ（Light Emitting Diode）が好ましい。発光素子は、例えば蛍光体を含む封止層で封止される。光源本体１６は、例えば蛍光体によって発光素子の青色光の一部をより長波長の光に変換し、青色光の残りの一部と混色することで白色光を出射する。光源本体１６は、セード１５の内部に固定され、その光軸は、図１の状態でＸ軸方向に平行である。
【００１６】
基板は、例えば、セラミック基板、樹脂基板、またはメタルベース基板等である。基板の平面視形状は、矩形に限定するものではなく、六角形または八角形などの多角形または円形等でもよい。基板には、金属配線（図示せず）が形成され、例えば複数のＬＥＤを電気的に接続する。基板の金属配線には、電源回路３９から、電線１９ａ（図２）を介して電力が供給される。
【００１７】
発光モジュールは、基板上にパッケージ型のＬＥＤが実装されたＳＭＤ（Surface Mounted Device）型のモジュールでもよい。 
【００１８】
反射部材は、光源本体１６からの光の配光を制御する部材である。反射部材は、光源本体１６の光軸が貫通する開口を有する筒状部材であり、反射部材の内面において光源本体１６からの光をレンズ部１７に向けて反射させる。反射部材は、例えば、ポリブチレンテレフタレート等の白色樹脂材料により形成される。
【００１９】
レンズ部１７は、光源本体１６からの光が入射される透光性の部分である。レンズ部１７は、通過する光の配光を制御して出射する機能を有してもよい。例えばレンズ部１７は、フレネルレンズである。レンズ部１７は、アクリル樹脂、ポリカーボネート樹脂等の透明樹脂材料から形成される。レンズ部１７は、透明なガラス材料から形成されてもよい。レンズ部１７は、光拡散構造を有してもよい。
【００２０】
光制御部材１８は、レンズ部１７の光出射面側に配置された筒状の部材であり、光源本体１６の光軸の周囲に配置される。光制御部材１８は、セード１５の開口部に取り付けられる。光制御部材１８は、セード１５の内面のうち、レンズ部１７の光出射面近傍から、セード１５の開口部の端部近傍までの部分を覆い、セード１５の内部での出射光の通過領域を削減する。光制御部材１８の内面は、黒色のグレア抑制面である。これにより、セード１５の開口部の端部近傍におけるグレアが抑制される。光制御部材１８は、例えば、ポリブチレンテレフタレート、ポリカーボネート等の樹脂材料により形成される。
【００２１】
図３、図４に示すように、第１回転体２０は、後述の電源収容部３１の長手方向の第１端部（図３、図４の右端部）に回転可能に支持される。具体的には、電源収容部３１の第１端部に回転可能に支持された軸部２１と、軸部２１に固定された回転ユニット２３とを有する。軸部２１は、鉛直方向（Ｚ方向）に沿って配置され、上側から回転ユニット２３の断面矩形の中心孔（図示せず）に挿入される軸受け部２２と、電源収容部３１に固定された部材の下側から軸受け部２２にネジ結合されるネジ（図示せず）とを有する。軸受け部２２は、断面が略矩形の筒部（図示せず）と、筒部の上端に結合された頭部２２ａとを有する。軸受け部２２は樹脂等により形成される。
【００２２】
回転ユニット２３は、ユニット本体２４と、２つの受電端子２９とを有する。ユニット本体２４は、上記の中心孔（図示せず）を有し、外周面に２つの第１板部２５、及び第１円板部２７が形成される。２つの受電端子２９は、それぞれ断面Ｌ字形に形成され、ユニット本体２４の中心孔に互いに直径方向に離れて係止して固定される。ユニット本体２４は、例えば樹脂等により形成される。受電端子２９は、銅等の金属板により形成される。
【００２３】
ユニット本体２４の中心孔には、軸受け部２２の筒部がユニット本体２４に対し回転不能に挿入される。この状態で、ユニット本体２４の円筒状外周面の１８０度位相が異なる２つの位置からは、２つの受電端子２９の板部２９ａが互いに反対側に突出する。各受電端子２９の板部２９ａと反対側の端部は、後述の電源部３０を構成する電源回路３９（図２）に接続される。
【００２４】
２つの第１板部２５は、２つの受電端子２９の板部２９ａの下側で、ユニット本体２４の円筒状外周面の１８０度位相が異なる２つの位置から反対側に突出する。第１円板部２７は、２つの第１板部２５の下側で、ユニット本体２４の円筒状外周面から外側に、ユニット本体２４の中心軸に対し直交するように突出する。これにより、第１回転体２０は、電源収容部３１に鉛直方向（Ｚ方向）の中心軸を中心に回転可能に支持される。この状態で、第１円板部２７、第１板部２５、及び受電端子２９の板部２９ａは、電源収容部３１の上面より上側に配置される。
【００２５】
さらに、図３に示すように、第１円板部２７の周方向一部には、第１回転体２０の中心軸と平行な方向に沿って厚み方向に貫通する貫通孔２８が形成される。貫通孔２８は、第１係止部に相当する。貫通孔２８において、第１円板部２７の厚み方向の第１側面（図３の下側面）側の端部開口には、後述の操作レバー５０が係止される。
【００２６】
第１板部２５を含んで第１回転体２０は、図１、図３、図４のＺ方向に沿う回転軸を中心として、９０度の回転角の範囲で回転可能である。第１回転体２０が、図１、図３、図４の状態から９０度回転することによって、各第１板部２５を後述の配線ダクト１００の溝部１１０（図６）に係止できる。この状態で各受電端子２９は、配線ダクト１００の給電電極１０９（図６）に電気的に接続される。これにより、第１回転体２０は、回転によって照明器具１０の外部に位置する配線ダクト１００との電気的接続のオンオフ状態が切り換えられる。
【００２７】
[電源部]
次に電源部３０を説明する。電源部３０は、電源収容部３１と、電源回路３９（図２）と、第２回転体４０とを含む。電源収容部３１は、有底筒状で上端が開口した略直方体の長尺な箱状の容器部３２と、容器部３２の開口を塞ぐ天板３３とを有する。容器部３２は、例えばアルミニウム等の金属または樹脂により形成される。天板３３は、照明器具１０が配線ダクト１００（図６）に取り付けられる際には、配線ダクト１００に対向する。天板３３には、後述の第２回転体４０が取り付けられる。天板３３は、例えば鉄等の金属材料により形成される。
【００２８】
電源回路３９は、電源収容部３１に収容される。電源回路３９は、光源本体１６に電力を供給する回路である。具体的には、電源回路３９は、回路基板と、回路基板に実装されたコンデンサ、抵抗素子等の複数の素子を有する。図２に示すように、電源回路３９は、受電端子２９に電線３４を介して接続される。照明器具１０が配線ダクト１００に取り付けられた状態で、電源回路３９は、商用電源等の外部電源からの交流電力を、配線ダクト１００、第１回転体２０の受電端子２９等を介して供給される。電源回路３９は、その供給された電力を整流、平滑等により、所定レベルの直流電力に変換する。電源回路３９は、電線１９ａを介して灯具ユニット１３の光源本体１６に接続される。これにより、電源回路３９で生成された直流電力が、電線１９ａを介して光源本体１６に供給される。
【００２９】
図３、図４に示すように、第２回転体４０は、天板３３において、電源収容部３１の長手方向中間部に位置する部分に、回転可能に支持される。具体的には、第２回転体４０は、天板３３に回転可能に支持された軸部４１と、軸部４１に固定された回転ユニット４３とを有する。軸部４１は、鉛直方向（Ｚ方向）に沿って配置され、上側から回転ユニット４３の中心孔（図示せず）に挿入されるボルト４２と、天板３３の下側でボルト４２に結合されたナット（図示せず）とを有する。
【００３０】
回転ユニット４３は、略円筒状の筒部４４と、筒部４４の上端部に結合された略矩形板状の第２板部４５と、筒部４４の外周面から突出する第２円板部４６とを有する。第２円板部４６は、第２板部４５の下側で、筒部４４の外周面から外側に、筒部４４の中心軸に対し直交するように突出する。これにより、第２回転体４０は、電源収容部３１に回転可能に支持される。この状態で、第２円板部４６及び第２板部４５は、電源収容部３１の上面より上側に配置される。
【００３１】
さらに、図３に示すように、第２円板部４６の周方向一部には、第２回転体４０の中心軸と平行な方向に沿って厚み方向に貫通する貫通孔４７が形成される。貫通孔４７は、第２係止部に相当する。貫通孔４７において、第２円板部４６の厚み方向の第１側面（図３の下側面）側の端部開口には、後述の操作レバー５０が係止される。第１円板部２７の回転中心から第１係止部としての貫通孔２８までの距離（回転半径）と、第２円板部４６の回転中心から第２係止部としての貫通孔４７までの距離（回転半径）とは同一である。
【００３２】
第２板部４５を含んで第２回転体４０は、図１、図３、図４のＺ方向に沿う回転軸を中心として、９０度の回転角の範囲で回転可能である。第２回転体４０が、図１、図３、図４の状態から９０度回転することによって、第２板部４５を後述の配線ダクト１００の溝部１１０（図６）に係止できる。これにより、第２回転体４０は、回転によって照明器具１０の配線ダクト１００への着脱が行われる。
【００３３】
[操作レバー]
図５は、図３から操作レバー５０を取り出して示す斜視図である。図１、図３、図４に示すように、操作レバー５０は、電源収容部３１の天板３３の上側に配置された長尺板状の部材であり、第１回転体２０及び第２回転体４０を連結するように、第１回転体２０及び第２回転体４０のそれぞれに接続される。具体的には、操作レバー５０は、長尺板状のアーム５１と、アーム５１のうち電源収容部３１の第１回転体２０とは反対側の第２端部の長手方向側面から突出する端部に、直角に曲げられた掴み部５３と有し、全体が断面Ｌ字形である。
【００３４】
さらに、図５に示すように、アーム５１は、第１回転体２０側の第１端部と、長手方向中間部との第１板部２５及び第２板部４５と同じ側の面である上面において、幅方向（Ｙ方向）の一端部に、上側に突出する２つの円柱状の突部５２が形成される。突部５２は、第３係止部に相当する。操作レバー５０は、例えばポリカーボネート等の樹脂または金属により形成される。
【００３５】
図３に示すように、操作レバー５０のアーム５１は、第１回転体２０の第１円板部２７の下側と、第２回転体４０の第２円板部４６の下側とに配置される。操作レバー５０の２つの突部５２（図５）は、第１円板部２７の貫通孔２８と、第２円板部４６の貫通孔４７とに、それぞれ係止される。これにより、第１回転体２０及び第２回転体４０は連結されるように、操作レバー５０に接続される。アーム５１は、電源収容部３１の上側で、電源収容部３１の長手方向（Ｘ方向）と略平行な方向の両側に移動可能である。そして、照明器具１０は、操作レバー５０が、長手方向の一方側または他方側に移動するように操作されることにより、第１回転体２０及び第２回転体４０が同時に回転するように構成される。
【００３６】
さらに、操作レバー５０の操作に関係なく、操作レバー５０は電源収容部３１の幅方向（Ｙ方向）両端と、電源収容部３１の長手方向（Ｘ方向）第１端部側の側面（図３の右側面）とのいずれよりも、外側にはみ出すことがないように構成される。
【００３７】
[配線ダクト]
図６は、配線ダクト１００において、長手方向（Ｘ方向）に対し直交する平面についての断面図である。配線ダクト１００は、Ｘ方向に沿って伸びるように形成される。配線ダクト１００は、下端に長手方向に沿って形成されたダクト開口部１０１を有する。配線ダクト１００は、下端の幅方向（Ｙ方向）両側に内向きの鍔部１０２を有する。配線ダクト１００のダクト開口部１０１より内側には、溝部１１０が形成される。
【００３８】
具体的には、配線ダクト１００は、断面が、略直角の角部を有するＣ字状のダクト本体１０３と、ダクト本体１０３を覆う絶縁部材１０４とを含む。ダクト本体１０３は、アルミニウム等の金属により形成される。絶縁部材１０４は、樹脂材料により形成される。絶縁部材１０４は、２つの突部１０５を有する。２つの突部１０５は、ダクト本体１０３の幅方向（Ｙ方向）に対向する２つの内面の鉛直方向（Ｚ方向）中間部から突出する。各突部１０５の先端には凹部１０６が形成される。凹部１０６の内側には給電電極１０９が保持される。給電電極１０９は、後述の第１回転体２０の受電端子２９が接続された状態で、照明器具１０に交流電力を供給するための電極対である。給電電極１０９は、例えば銅等の金属により形成される。配線ダクト１００において、鍔部１０２と突部１０５の間には、図３、図４に示す第１回転体２０の第１板部２５と、第２回転体４０の第２板部４５とがそれぞれ係止される溝部１１０が形成される。
【００３９】
[照明器具１０の配線ダクトへの取付方法]
図７は、図４から操作レバー５０、第１回転体２０、及び第２回転体４０を取り出して示す図である。図８は、配線ダクト１００（図６）に照明器具１０を取り付けるように操作レバー５０を操作した状態において、図７に対応する図である。
【００４０】
照明器具１０を配線ダクト１００に取り付ける際には、まず図１、図３、図４と同じ状態となるように、図７の矢印α方向に操作レバー５０を移動させた状態とする。このとき、取付作業を行う作業者は、操作レバー５０の掴み部５３を掴んで操作することができる。この状態で、第１回転体２０の第１板部２５と、第２回転体４０の第２板部４５との長手方向が電源収容部３１の長手方向（Ｘ方向）と略一致する状態となる。また、第１回転体２０の受電端子２９の板部２９ａの長手方向も、電源収容部３１の長手方向と略一致する状態となる。
【００４１】
この状態で、配線ダクト１００のダクト開口部１０１（図６）から配線ダクト１００の内側に、第１回転体２０の第１板部２５及び第２回転体４０の第２板部４５を挿入する。このとき、第１回転体２０の受電端子２９も、配線ダクト１００の内側に配置される。この状態で、図８の矢印β方向に操作レバー５０を移動させることで、第１回転体２０及び第２回転体４０がそれぞれの中心軸を中心に、図７に示す状態から９０度回転して、図８に示す状態となる。このときも、作業者は、操作レバー５０の掴み部５３を掴んで操作することができる。これによって、第１板部２５と第２板部４５とが電源収容部３１の長手方向（Ｘ方向）と略直交する状態となり、第１板部２５と第２板部４５とが、配線ダクト１００の溝部１１０に挿入される。このため、第１板部２５と第２板部４５とが配線ダクト１００に係止される。さらに、この状態で、第１回転体２０の受電端子２９も、図８に示すように、図７に示す状態から９０度回転している。これによって、受電端子２９が、図６に示した給電電極１０９に接続されるので、配線ダクト１００から照明器具１０に電力を供給可能な状態となる。
【００４２】
[効果]
上記の照明器具１０によれば、配線ダクト１００に照明器具１０を近づけて、操作レバー５０を操作するだけで第１回転体２０及び第２回転体４０が同時に９０度回転し、これによって、配線ダクト１００に照明器具１０を取り付けることができる。これにより、配線ダクト１００に照明器具１０を取り付ける施工作業が簡単になり、かつ、施工作業の作業時間を短縮できる。
【００４３】
さらに、操作レバー５０は、電源収容部３１の上側で移動可能な長尺板状のアーム５１を有し、アーム５１は、第１円板部２７及び第２円板部４６と同じ側の面において、貫通孔２８，４７に係止される２つの突部５２を有する。これにより、第１回転体２０及び第２回転体４０を同時に操作できる構成を、部品数を過度に多くすることなく、かつ容易に実現できる。
【００４４】
また、電源収容部３１が長尺な箱状であり、操作レバー５０の操作に関係なく、操作レバー５０は電源収容部３１の幅方向両端と、電源収容部３１の長手方向第１端部側の側面とのいずれよりも外側にはみ出すことがないように構成される。これにより、照明器具１０の見栄えを向上できる。
【００４５】
なお、上記の図１〜図８の構成において、第１円板部２７の第１係止部、及び第２円板部４６の第２係止部は、貫通孔ではなく、操作レバー５０側に開口する凹部としてもよい。また、第１円板部２７の第１係止部を、第１円板部２７の下面より下側に突出する第１突部とするとともに、第２円板部４６の第２係止部を、第２円板部４６の下面より下側に突出する第２突部とすることもできる。このとき、操作レバーの第３係止部は、第１突部及び第２突部のそれぞれと係止される２つの孔部とする。２つの孔部は、貫通孔としてもよく、また、第１円板部及び第２円板部と同じ側に開口する凹部としてもよい。第１円板部及び第２円板部は、矩形の板部等としてもよい。
【００４６】
[比較例]
図９は、比較例の照明器具１０ａを上方から見た斜視図である。比較例の照明器具１０ａは、図１〜図８の照明器具１０とは異なり、第１回転体２０ａと第２回転体４０ａとを連結する操作レバーは設けられていない。これにより、第１回転体２０ａと第２回転体４０ａとは、同時に回転するように連結されてはいない。第１回転体２０ａは、第１レバー６０と連動して回転する。第２回転体４０ａの軸部４１ａに対し第２板部４５の下側には、第１回転体２０ａとは独立した第２レバー６１が固定される。第２回転体４０ａは、第２レバー６１と連動して回転する。このような比較例では、配線ダクトに照明器具１０ａを取り付ける際に、第１回転体２０ａと、第２回転体４０ａとをそれぞれ独立して回転させる必要がある。これにより、配線ダクトに照明器具１０ａを取り付ける施工作業が複雑になり、かつ施工作業の作業時間が長くなる。図１〜図８の構成によれば、このような不都合を解消できる。
【００４７】
[別例の構成]
なお、上記の実施形態では光源部としてＬＥＤ等の発光素子を含む発光モジュールを用いる場合を説明したが、光源部はこのような構成に限定するものではなく、別例として、光源部は、ＬＥＤ電球、白熱電球等、種々の光源を用いることもできる。
【符号の説明】
【００４８】
１０,１０ａ  照明器具、１２  光源部、１３  灯具ユニット、１４  灯具本体、１５  セード、１６  光源本体、１７  レンズ部、１８  光制御部材、１９  支持部、１９ａ  電線、２０,２０ａ  第１回転体、２１  軸部、２２  軸受け部、２２ａ  頭部、２３  回転ユニット、２４  ユニット本体、２５  第１板部、２７  第１円板部、２８  貫通孔、２９  受電端子、３０  電源部、３１  電源収容部、３２  容器部、３３  天板、３４  電線、３９  電源回路、４０,４０ａ  第２回転体、４１,４１ａ  軸部、４２  ボルト、４３  回転ユニット、４４  筒部、４５  第２板部、４６  第２円板部、４７  貫通孔、５０  操作レバー、５１  アーム、５２  突部、５３  掴み部、６０  第１レバー、６１  第２レバー、１００  配線ダクト、１０１  ダクト開口部、１０２  鍔部、１０３  ダクト本体、１０４  絶縁部材、１０５  突部、１０９  給電電極、１１０  溝部。
【図１】
2020004626.tif 000003
【図２】
2020004626.tif 000004
【図３】
2020004626.tif 000005
【図４】
2020004626.tif 000006
【図５】
2020004626.tif 000007
【図６】
2020004626.tif 000008
【図７】
2020004626.tif 000009
【図８】
2020004626.tif 000010
【図９】
2020004626.tif 000011